(57)【要約】【課題】入力にかかる時間を低減することができる状態表示・指示入力装置を得ること。【解決手段】外部装置１０２の状態表示及び外部装置１０２への指示入力の受付を行うプログラマブル表示器１００であって、外部装置１０２への指示に対応する複数のＧＵＩ部品を表示する表示部１２と、表示部１２に表示された複数のＧＵＩ部品の各々に対する選択操作を受け付ける入力部１１と、ＧＵＩ部品の各々に対する選択操作の順序を示す操作順序情報を記憶するデータ記憶部２２と、選択操作が行われた際に、データ記憶部２２に記憶された操作順序情報に基づいて、次に選択操作を行うべきＧＵＩ部品を検出する統括処理部２０と、統括処理部２０が検出したＧＵＩ部品を表示部１２上で強調表示させる表示生成部２１と、を有する。【選択図】図１
2013077134.tif 000002
【特許請求の範囲】
【請求項１】
外部装置の状態表示及び該外部装置への指示入力の受付を行う状態表示・指示入力装置であって、
前記外部装置への指示に対応する複数のＧＵＩ部品を表示する表示部と、
前記表示部に表示された前記複数のＧＵＩ部品の各々に対する選択操作を受け付ける入力部と、
前記ＧＵＩ部品の各々に対する前記選択操作の順序を示す操作順序情報を記憶するデータ記憶部と、
前記選択操作が行われた際に、前記データ記憶部に記憶された操作順序情報に基づいて、次に前記選択操作を行うべき前記ＧＵＩ部品を検出する統括処理部と、
前記統括処理部が検出した前記ＧＵＩ部品を前記表示部上で強調表示させる表示生成部と、
を有することを特徴とする状態表示・指示入力装置。
【請求項２】
前記データ記憶部は、前記複数のＧＵＩ部品の各々に対する選択操作の履歴を、前記操作順序情報として記憶することを特徴とする請求項１に記載の状態表示・指示入力装置。
【請求項３】
コンピュータとの通信用のインタフェースを有し、
前記インタフェースを介して前記コンピュータから前記操作順序情報を受信することを特徴とする請求項１に記載の状態表示・指示入力装置。
【発明の詳細な説明】
【技術分野】
【０００１】
本発明は、外部装置の状態表示及び外部装置への指示入力を受ける状態表示・指示入力装置に関する。
【背景技術】
【０００２】
従来、プログラマブル表示器などの状態表示・指示入力装置の操作において入力時間を低減する方法として、メニュー項目の表示形態をその使用頻度に応じて変更するものがあり、ユーザ専用の画面に選択頻度の高い画面への遷移項目を上位数点表示する（例えば、特許文献１参照。）。
【０００３】
また、状態表示・指示入力装置の操作における入力時間を低減する別の方法として、過去に選択された項目を専用の画面に表示するものがあり、複数の項目を一画面で選択できるように動作する（例えば、特許文献２参照。）。
【０００４】
さらに、ソフトウェアの操作性を向上させる従来の方法として、操作順序を予め登録するように構成されており、次に操作すべきＧＵＩ部品を画面上で目立たせて表示する（例えば、特許文献３参照。）。
【先行技術文献】
【特許文献】
【０００５】
【特許文献１】特開２００４−１７８３６３号公報（００２２段落、第４図）
【特許文献２】特許第３５２１１４７号公報（００３３段落、第７図）
【特許文献３】特許第３６３３４１５号公報（００３３段落、第５図、第６図）
【発明の概要】
【発明が解決しようとする課題】
【０００６】
上記の入力時間を低減する従来の方法では、過去に選択された項目を専用画面に一覧として羅列表示させるため、操作する順序が明確ではない。このため、操作順序の指定間違いが発生する可能性がある。
【０００７】
また、習熟度の違いにより、操作に要する時間がユーザ間でばらつくという問題がある。
【０００８】
さらに、専用画面を表示することにより、その他の情報を表示する領域が減少してしまう。
【０００９】
また、ソフトウェアの操作性を向上させる従来の方法では、一つの操作に対となるリストを一つ作成するため、各操作に対して逐次リストを記載する必要がある。このため、作業量が膨大となり、網羅性の検証も困難である。
【００１０】
また、対応するソフトウェアの機能向上に伴いＧＵＩが変更となった場合や、ユーザが意図せず未表示設定とした場合は機能しない。
【００１１】
さらに、ＧＵＩ制御ソフトウェアの設計者しか機能を実現することができず、実際に使用するユーザは任意に変更できない。
【００１２】
さらに、従来の操作入力方法では、ユーザに一連の操作を促すためには、操作マニュアルなど、画面以外の別媒体を作成する必要があり、新たな設計工数が発生する。
【００１３】
本発明は、上記に鑑みてなされたものであって、入力にかかる時間を低減することができる状態表示・指示入力装置を得ることを目的とする。
【課題を解決するための手段】
【００１４】
上述した課題を解決し、目的を達成するために、本発明は、外部装置の状態表示及び該外部装置への指示入力の受付を行う状態表示・指示入力装置であって、外部装置への指示に対応する複数のＧＵＩ部品を表示する表示部と、表示部に表示された複数のＧＵＩ部品の各々に対する選択操作を受け付ける入力部と、ＧＵＩ部品の各々に対する選択操作の順序を示す操作順序情報を記憶するデータ記憶部と、選択操作が行われた際に、データ記憶部に記憶された操作順序情報に基づいて、次に選択操作を行うべきＧＵＩ部品を検出する統括処理部と、統括処理部が検出したＧＵＩ部品を表示部上で強調表示させる表示生成部と、を有することを特徴とする。
【発明の効果】
【００１５】
本発明によれば、操作する順序を明確に誘導することが可能であるため、選択間違いの発生を抑制できるという効果を奏する。
【図面の簡単な説明】
【００１６】
【図１】図１は、本発明にかかる状態表示・指示入力装置の実施の形態１としてのプログラマブル表示器の構成を示す図である。
【図２】図２は、プログラマブル表示器の入力誘導動作の流れを示すフローチャートである。
【図３】図３は、プログラマブル表示器における、次の操作を誘導する表示の一例を模式的に示す図である。
【図４】図４は、実施の形態２にかかるプログラマブル表示器の使用方法を示す図である。
【発明を実施するための形態】
【００１７】
以下に、本発明にかかる状態表示・指示入力装置の実施の形態を図面に基づいて詳細に説明する。なお、この実施の形態によりこの発明が限定されるものではない。
【００１８】
実施の形態１．
図１は、本発明にかかる状態表示・指示入力装置の実施の形態１としてのプログラマブル表示器の構成を示す図である。プログラマブル表示器１００は、外部装置１０２の状態表示及び外部装置１０２への指示入力の受付を行う装置である。プログラマブル表示器１００は、入力部１１、表示部１２、外部装置接続インタフェース（Ｉ／Ｆ）１３、統括処理部２０、表示生成部２１及びデータ記憶部２２を有する。外部装置１０２は、プログラマブルロジックコントローラ（ＰＬＣ）やマイコン、パーソナルコンピュータなどの制御装置である。
【００１９】
表示部１２は、液晶ディスプレイや有機ＥＬディスプレイなどの表示装置である。入力部１１は、表示部１２に重ね合わせて設置されたタッチパネルである。なお、ここでは入力部１１がタッチパネルである場合を例としているが、入力部１１としては、マウスなどのポインティングデバイスを適用することも可能である。外部装置接続Ｉ／Ｆ１３は、外部装置１０２と有線又は無線通信により表示部１２において表示する画面の基となる情報（ビットの立ち上がりや立ち下がり、データ（数値の羅列）など）をやりとりするためのインタフェースである。統括処理部２０は、プログラマブル表示器１００全体の動作を制御する。また、過去に入力された操作の履歴により、発生頻度の高い一連の操作順序を決定し、その操作順序において次に入力されるＧＵＩ部品を検出する。表示生成部２１は、表示部１２に表示する画面のデータを生成する。データ記憶部２２は、操作履歴や事前に決定された操作順序を操作順序情報として記憶する。例えば、過去にＡ、Ｂ、ＣというＧＵＩ部品をこの順に入力操作を行ったことがあれば、Ａ→Ｂ→Ｃという順序を示す情報が操作順序情報としてデータ記憶部２２に記憶される。また、過去にこの順での入力操作を行ったことがなくても、入力部１１を介しての操作により操作順序情報としてデータ記憶部２２に記憶させることもできる。
【００２０】
プログラマブル表示器１００においては、操作者１０１からの指示入力を検出し、入力に割り当てられた機能を実行する。また、操作者１０１からの指示入力がデータ記憶部２２に格納されている操作順序情報が示す操作順序に該当する場合、次に入力されるＧＵＩ部品を検索し、表示生成部２１において該当するＧＵＩ部品を点滅させる。
【００２１】
図２は、プログラマブル表示器１００の入力誘導動作の流れを示すフローチャートである。入力誘導動作を開始すると統括処理部２０は、入力部１１を介しての操作者１０１からの入力操作を監視する（ステップＳ１０１）。入力操作が無い場合（ステップＳ１０１／Ｎｏ）、入力操作の監視を継続する（ステップＳ１０１）。一方、入力操作があった場合（ステップＳ１０１／Ｙｅｓ）、統括処理部２０は行われた操作に割り当てられた機能を実行する（ステップＳ１０２）。
【００２２】
操作に割り当てられた機能を実行したのち、統括処理部２０は、データ記憶部２２に格納されている操作順序情報を参照し、現在行われている操作手順が操作順序情報が示す操作順序に該当するか否かを判断する（ステップＳ１０３）。操作順序情報が示す操作順序に該当しない場合（ステップＳ１０３／Ｎｏ）、統括処理部２０は入力誘導動作を終了する。なお、データ記憶部２２に操作順序情報が複数記憶されている場合には、記憶されている操作順序情報が示す操作順序のいずれにも該当しない場合に統括処理部２０が入力誘導操作を終了するようにしても良い。操作順序情報が示す操作順序に該当する場合（ステップＳ１０３／Ｙｅｓ）、統括処理部２０は、操作順序情報における次の操作で用いるＧＵＩ部品を検索する（ステップＳ１０４）。そして、統括処理部２０は表示生成部２１に指示を出し、次の操作で用いるＧＵＩ部品の枠色などを変化させる（ステップＳ１０５）。表示生成部２１は、枠色を変更するなどしたＧＵＩ部品を表示部１２に表示させる（ステップＳ１０６）。その後、ステップＳ１０１に戻り、入力操作を監視する。
【００２３】
図３は、プログラマブル表示器１００における、次の操作を誘導する表示の一例を模式的に示す図である。図３においては、次の操作で用いるＧＵＩ部品３０２以外のＧＵＩ部品３０１、３０３、３０４は無枠となっており、次の操作で用いるＧＵＩ部品３０２のみ枠を表示させている。したがって、ＧＵＩ部品３０１を選択する操作を行った際に、ＧＵＩ部品３０２の枠３０２ａが表示部１２に表示される。
【００２４】
なお、表示生成部２１による枠色の変化は、ＧＵＩ部品を点滅させて表示させたり、その他のＧＵＩ部品の明度を落として相対的に強調表示するようにしても良い。また、これらを組み合わせて次の操作に用いるＧＵＩ部品を強調表示しても良い。
【００２５】
本実施の形態によれば、初回の入力を検出したのち、操作履歴や選択された操作順序から外れるまでは次に入力すべきＧＵＩ部品（次に入力される頻度の高いＧＵＩ部品）をユーザに対して目に付くように表示を変化させるため、入力を誘導することができ、入力にかかる時間を低減できる。また、入力順序を容易に識別することが可能であるため、操作者による選択間違いの発生を抑制することができる。また、操作者の習熟度によらず入力に要する時間を短縮することが可能である。さらに、次に入力されるＧＵＩ部品を、部品の点滅や枠色の変化、他のＧＵＩ部品の明度を落として相対的にＧＵＩ部品を目立たせるなどの手法により汎用の画面で強調表示するため、画面に表示する情報量が減少してしまうことがない。
【００２６】
実施の形態２．
本発明にかかる状態表示・指示入力装置の実施の形態２としてのプログラマブル表示器の構成は、図１に示した実施の形態１のプログラマブル表示器１００と同様である。ただし、本実施の形態において、外部装置接続Ｉ／Ｆ１３は、外部装置１０２との間でファイルをやりとりする機能を備えている。外部装置接続Ｉ／Ｆ１３を介して受信したファイルは、統括処理部２０によってデータ記憶部２２に記憶される。
【００２７】
図４は、実施の形態２にかかるプログラマブル表示器１００の使用方法を示す図である。マウス等のポインティングデバイスを用いてコンピュータ２００を操作し、ＧＵＩ部品３０１にポインタを合わせてクリックし、次にＧＵＩ部品３０２にポインタを合わせてクリックすることでＧＵＩ部品３０１、３０２を順に選択する操作順序ファイル４００が作成される。実施の形態２にかかるプログラマブル表示器１００は、コンピュータ２００の画面作成ソフトウェアのシミュレーション機能により選択されたＧＵＩ部品の種類と順序とを記録した操作順序ファイル４００が入力され、操作順序ファイル４００が操作順序情報としてデータ記憶部２２に記憶される。統括制御部２０は、データ記憶部２２に記憶された操作順序ファイル４００に基づいて、実施の形態１と同様の入力誘導動作を行う。
【００２８】
本実施の形態によれば、操作順序の決定が容易であるため、作成にかかる作業時間を短縮することが可能である。また、操作マニュアル等の別媒体が不要である。さらに、各運用場面での機能の作り込みが可能である。
【産業上の利用可能性】
【００２９】
以上のように、本発明にかかる状態表示・指示入力装置は、設定項目や変更の多いプログラマブル表示器や表示入力端末に適している。
【符号の説明】
【００３０】
１１  入力部
１２  表示部
１３  外部装置接続Ｉ／Ｆ
２０  統括処理部
２１  表示生成部
２２  データ記憶部
１００  プログラマブル表示器
１０１  操作者
１０２  外部装置
２００  コンピュータ
３０１〜３０４  ＧＵＩ部品
４００  操作順序ファイル
【図１】
2013077134.tif 000003
【図２】
2013077134.tif 000004
【図３】
2013077134.tif 000005
【図４】
2013077134.tif 000006